(57)【要約】【課題】被トリミングデバイスとトリミング装置との間に要する接続端子の削減が可能であり、製品外形の小型化を図ることができるデジタルトリミングシステムを提供することを目的とする。【解決手段】被トリミングデバイス側で、内部クロック生成手段により生成された所定周波数のクロック信号を電圧変動から電流変動へ変換した上で、被トリミングデバイス側の電源入力端子及びトリミング装置側の電源出力端子を介してトリミング装置へ伝送する。トリミング装置側では、被トリミングデバイスからの電流変動を読み取り、電圧変動に変換し、更に、この電圧変動を、トリミングシステムの基準クロック信号としてのクロック信号に整形する。【選択図】        図１
2004165275.tif 000002
【特許請求の範囲】
【請求項１】
トリミングデータを生成するトリミング装置と、該トリミング装置からのトリミングデータを一時的に記憶する不揮発性メモリ及び該不揮発性メモリに該トリミングデータを書き込むメモリ書込み手段を備えた被トリミングデバイスとが、各々に設けられ互いに対応する接続端子を介して接続されてなるデジタルトリミングシステムにおいて、
上記被トリミングデバイスが、
所定周波数のクロック信号を生成する内部クロック生成手段と、
上記内部クロック生成手段により生成されたクロック信号を電圧変動から電流変動へ変換した上で、上記トリミング装置へ出力する電圧−電流変換手段と、
上記電圧−電流変換手段に対して接続する電源入力端子と、を有する一方、
上記トリミング装置が、
上記被トリミングデバイスからの電流変動を読み取り、電圧変動に変換する電流−電圧変換手段と、
上記電流−電圧変換手段からの電圧変動をクロック信号に整形する波形整形手段と、
上記電流−電圧変換手段に対して接続する電源出力端子と、
上記被トリミングデバイスへ電源出力端子及び電源入力端子を介して電源電圧を供給する電源電圧供給手段と、を有していることを特徴とするデジタルトリミングシステム。
【請求項２】
トリミングデータを生成するトリミング装置と、該トリミング装置からのトリミングデータを一時的に記憶する不揮発性メモリ及び該不揮発性メモリに該トリミングデータを書き込む書込み手段を備えた被トリミングデバイスとが、各々に設けられ互いに対応する接続端子を介して接続されてなるデジタルトリミングシステムにおいて、
上記被トリミング装置が、
基準クロック信号を生成する基準クロック生成手段と、
上記基準クロック生成手段により生成された基準クロック信号を、電圧変動から電流変動に変換した上で上記被トリミングデバイスへ出力する電圧−電流変換手段と、
上記電圧−電流変換手段に対して接続する電源出力端子と、
上記被トリミングデバイスへ電源出力端子を介して電源電圧を供給する電源電圧供給手段と、を有する一方、
上記被トリミングデバイスが、
上記トリミング装置側からの電流変動を読み取り、電圧変動へ変換する電流−電圧変換手段と、
上記電流−電圧変換手段からの電圧変動をクロック信号に整形する波形整形手段と、
上記電流−電圧変換手段に対して接続する電源入力端子と、を有していることを特徴とするデジタルトリミングシステム。
【請求項３】
更に、上記被トリミングデバイスが、
トリミングデータ入出力及びトリミングデータ読出し命令入力用のトリミングデータ転送／読出し手段と、
トリミング補正後の信号をトリミング装置へ出力する補正後出力手段と、
トリミングデータ入力／トリミング出力端子と、
上記トリミングデータ入力／トリミング出力端子に対して、上記トリミングデータ転送／読出し手段と補正後出力手段とを切り替え接続する切替手段と、を有する一方、
上記トリミング装置が、
トリミングデータ入出力及びトリミングデータ読出し実行用のトリミングデータ発生／確認手段と、
上記被トリミングデバイス側の補正後出力手段からの出力の電圧を確認するトリミング出力確認手段と、
トリミングデータ出力／トリミング入力端子と、
上記トリミングデータ出力／トリミング入力端子に対して、上記トリミングデータ発生／確認手段とトリミング出力確認手段とを切り替え接続する切替手段と、を有していることを特徴とする請求項１又は２に記載のデジタルトリミングシステム。
【請求項４】
更に、上記被トリミングデバイスが、電源入力端子に対して接続され、電源入力端子に印加される電圧をモニタする電圧モニタ手段を有しており、
上記電圧モニタ手段が、モニタした電圧に基づき、上記トリミングデータ入力／トリミング出力端子に対して、上記トリミングデータ転送／読出し手段及び補正後出力手段のいずれかが接続されるように、上記切替器を動作制御することを特徴とする請求項３記載のデジタルトリミングシステム。
【請求項５】
更に、上記被トリミングデバイスが、
上記被トリミングデバイス側のトリミングデータ入力／トリミング出力端子に対して接続され、該トリミングデータ入力／トリミング出力端子に印加される電圧をモニタする電圧モニタ手段と、
上記トリミングデータ入力／トリミング出力端子に対して、上記トリミングデータ転送／読出し手段又は補正後出力手段と、上記メモリ書込み手段とを切り替え接続する切替手段と、を有しており、
上記電圧モニタ手段が、モニタした電圧に基づき、上記トリミングデータ入力／トリミング出力端子に対して、上記トリミングデータ転送／読出し手段又は補正後出力手段、及び、上記メモリ書込み手段のいずれかが接続されるように、上記切替器を動作制御することを特徴とする請求項３又は４に記載のデジタルトリミングシステム。
【請求項６】
更に、上記被トリミングデバイスが、
トリミングデータ入出力及びトリミングデータ読出し命令入力用のトリミングデータ転送／読出し手段と、
トリミング補正後の信号をトリミング装置へ出力する補正後出力手段と、
上記補正後出力手段に対して接続するトリミングデータ入力／トリミング出力端子と、
上記補正後出力手段とトリミングデータ転送／読出し手段との間に設けられ、トリミングデータ転送／読出し手段からのトリミングデータを電圧変動から電流変動へ変換する電圧−電流変換手段と、
上記補正後出力手段に対して接続され、上記トリミングデータ読出し手段からのトリミングデータの読出し時に、補正後出力手段からの出力を固定するトリミングデータ読出し時出力固定手段と、を有する一方、
上記トリミング装置が、
トリミングデータ入出力及びトリミングデータ読出し実行用のトリミングデータ発生／確認手段と、
上記被トリミングデバイス側の補正後出力手段からの出力の電圧を確認するトリミング出力確認手段と、
トリミングデータ出力／トリミング入力端子と、
上記トリミングデータ出力／トリミング入力端子に対して、上記トリミングデータ発生／確認手段とトリミング出力確認手段とを切り替え接続する切替手段と、
上記トリミングデータ発生／確認手段と切替手段との間に設けられ、上記被トリミングデバイス側の電圧−電流変換手段により得られた電流変動をトリミングデータとして電圧変動へ変換する電圧−電流変換手段と、を有していることを特徴とする請求項１又は２に記載のデジタルトリミングシステム。
【請求項７】
更に、上記被トリミングデバイスが、上記メモリ書込み手段に対して書込み動作に必要な電圧を供給する電圧供給手段を有していることを特徴とする請求項１〜６のいずれか一に記載のデジタルトリミングシステム。
【発明の詳細な説明】
【０００１】
【発明の属する技術分野】
本発明は、デジタルトリミングシステムに関する。
【０００２】
【従来の技術】
従来、トリミングデータに基づき装置の動作状態を逐次変化させて調整するトリミング技術が知られている（例えば特許文献１参照）。
【０００３】
【特許文献１】
特開平８−２２１９９３号公報  （第５頁）
【０００４】
【発明が解決しようとする課題】
かかる技術を採用した従来のデジタルトリミングシステムでは、圧力センサ等の電子部品の感度，オフセット電圧，温度特性など個々にばらつく特性を補正することを主目的とする回路構成を備えた被トリミングデバイスと、その被トリミングデバイスへ供給するトリミングデータを生成するトリミング装置との間で、電源端子，トリミング出力端子等のアナログ端子以外に、デジタルデータを伝送するための接続端子が別途必要とされる構成となっており、被トリミングデバイス及びトリミング装置の各々にそれら専用の端子を設ける必要がある。多数の接続端子の存在は、製品本体を小型化する上で実質的に妨げとなり、また、各端子同士の接続不良が製品歩留りの低下の一因となることからも、接続端子の数は少ない方が好ましい。
【０００５】
本発明は、上記技術的課題に鑑みてなされたもので、電源端子，トリミング出力端子等のアナログ端子以外の端子を必要とせず、製品外形を抑制し得るデジタルトリミングシステムを提供することを目的とする。
【０００６】
【課題を解決するための手段】
本願の第１の発明は、トリミングデータを生成するトリミング装置と、該トリミング装置からのトリミングデータを一時的に記憶する不揮発性メモリ及び該不揮発性メモリに該トリミングデータを書き込むメモリ書込み手段を備えた被トリミングデバイスとが、各々に設けられ互いに対応する接続端子を介して接続されてなるデジタルトリミングシステムにおいて、上記被トリミングデバイスが、所定周波数のクロック信号を生成する内部クロック生成手段と、上記内部クロック生成手段により生成されたクロック信号を電圧変動から電流変動へ変換した上で、上記トリミング装置へ出力する電圧−電流変換手段と、上記電圧−電流変換手段に対して接続する電源入力端子と、を有する一方、上記トリミング装置が、上記被トリミングデバイスからの電流変動を読み取り、電圧変動に変換する電流−電圧変換手段と、上記電流−電圧変換手段からの電圧変動をクロック信号に整形する波形整形手段と、上記電流−電圧変換手段に対して接続する電源出力端子と、上記被トリミングデバイスへ電源出力端子及び電源入力端子を介して電源電圧を供給する電源電圧供給手段と、を有していることを特徴としたものである。
【０００７】
また、本願の第２の発明は、トリミングデータを生成するトリミング装置と、該トリミング装置からのトリミングデータを一時的に記憶する不揮発性メモリ及び該不揮発性メモリに該トリミングデータを書き込む書込み手段を備えた被トリミングデバイスとが、各々に設けられ互いに対応する接続端子を介して接続されてなるデジタルトリミングシステムにおいて、上記被トリミング装置が、基準クロック信号を生成する基準クロック生成手段と、上記基準クロック生成手段により生成された基準クロック信号を、電圧変動から電流変動に変換した上で上記被トリミングデバイスへ出力する電圧−電流変換手段と、上記電圧−電流変換手段に対して接続する電源出力端子と、上記被トリミングデバイスへ電源出力端子を介して電源電圧を供給する電源電圧供給手段と、を有する一方、上記被トリミングデバイスが、上記トリミング装置側からの電流変動を読み取り、電圧変動へ変換する電流−電圧変換手段と、上記電流−電圧変換手段からの電圧変動をクロック信号に整形する波形整形手段と、上記電流−電圧変換手段に対して接続する電源入力端子と、を有していることを特徴としたものである。
【０００８】
更に、本願の第３の発明は、請求項１又は２に係る発明において、上記被トリミングデバイスが、トリミングデータ入出力及びトリミングデータ読出し命令入力用のトリミングデータ転送／読出し手段と、トリミング補正後の信号をトリミング装置へ出力する補正後出力手段と、トリミングデータ入力／トリミング出力端子と、上記トリミングデータ入力／トリミング出力端子に対して、上記トリミングデータ転送／読出し手段と補正後出力手段とを切り替え接続する切替手段と、を有する一方、上記トリミング装置が、トリミングデータ入出力及びトリミングデータ読出し実行用のトリミングデータ発生／確認手段と、上記被トリミングデバイス側の補正後出力手段からの出力の電圧を確認するトリミング出力確認手段と、トリミングデータ出力／トリミング入力端子と、上記トリミングデータ出力／トリミング入力端子に対して、上記トリミングデータ発生／確認手段とトリミング出力確認手段とを切り替え接続する切替手段と、を有していることを特徴としたものである。
【０００９】
また、更に、本願の第４の発明は、請求項３に係る発明において、上記被トリミングデバイスが、電源入力端子に対して接続され、電源入力端子に印加される電圧をモニタする電圧モニタ手段を有しており、上記電圧モニタ手段が、モニタした電圧に基づき、上記トリミングデータ入力／トリミング出力端子に対して、上記トリミングデータ転送／読出し手段及び補正後出力手段のいずれかが接続されるように、上記切替器を動作制御することを特徴としたものである。
【００１０】
また、更に、本願の第５の発明は、請求項３又は４に係る発明において、上記被トリミングデバイスが、該被トリミングデバイス側のトリミングデータ入力／トリミング出力端子に対して接続され、該トリミングデータ入力／トリミング出力端子に印加される電圧をモニタする電圧モニタ手段と、上記トリミングデータ入力／トリミング出力端子に対して、上記トリミングデータ転送／読出し手段又は補正後出力手段と、上記メモリ書込み手段とを切り替え接続する切替手段と、を有しており、上記電圧モニタ手段が、モニタした電圧に基づき、上記トリミングデータ入力／トリミング出力端子に対して、上記トリミングデータ転送／読出し手段又は補正後出力手段、及び、上記メモリ書込み手段のいずれかが接続されるように、上記切替器を動作制御することを特徴としたものである。
【００１１】
また、更に、本願の第６の発明は、請求項１又は２に係る発明において、上記被トリミングデバイスが、トリミングデータ入出力及びトリミングデータ読出し命令入力用のトリミングデータ転送／読出し手段と、トリミング補正後の信号をトリミング装置へ出力する補正後出力手段と、上記補正後出力手段に対して接続するトリミングデータ入力／トリミング出力端子と、上記補正後出力手段とトリミングデータ転送／読出し手段との間に設けられ、トリミングデータ転送／読出し手段からのトリミングデータを電圧変動から電流変動へ変換する電圧−電流変換手段と、上記補正後出力手段に対して接続され、上記トリミングデータ読出し手段からのトリミングデータの読出し時に、補正後出力手段からの出力を固定するトリミングデータ読出し時出力固定手段と、を有する一方、上記トリミング装置が、トリミングデータ入出力及びトリミングデータ読出し実行用のトリミングデータ発生／確認手段と、上記被トリミングデバイス側の補正後出力手段からの出力の電圧を確認するトリミング出力確認手段と、トリミングデータ出力／トリミング入力端子と、上記トリミングデータ出力／トリミング入力端子に対して、上記トリミングデータ発生／確認手段とトリミング出力確認手段とを切り替え接続する切替手段と、上記トリミングデータ発生／確認手段と切替手段との間に設けられ、上記被トリミングデバイス側の電圧−電流変換手段により得られた電流変動をトリミングデータとして電圧変動へ変換する電圧−電流変換手段と、を有していることを特徴としたものである。
【００１２】
また、更に、本願の第７の発明は、請求項１〜６に係る発明のいずれか一において、上記被トリミングデバイスが、上記メモリ書込み手段に対して書込み動作に必要な電圧を供給する電圧供給手段を有していることを特徴としたものである。
【００１３】
【発明の実施の形態】
以下、本発明の実施の形態について、添付図面を参照しながら説明する。
実施の形態１．
図１は、本発明の実施の形態１に係るデジタルトリミングシステムの構成を示すブロック図である。このデジタルトリミングシステム３０は、圧力センサ等の電子部品の感度，オフセット電圧，温度特性など個々にばらつく特性を補正することを主目的とする回路構成を備えた被トリミングデバイス１０と、被トリミングデバイス１０へ供給するトリミングデータを生成するトリミング装置２０とから構成されている。被トリミングデバイス１０及びトリミング装置２０は、それぞれ、複数の接続端子を有しており、一方の接続端子は、各々、他方の接続端子のいずれかと対応する。被トリミングデバイス１０とトリミング装置２０とは、対応する端子同士が電気的に接続されることにより、互いに接続される。
【００１４】
両者の内部構成について説明する。被トリミングデバイス１０は、一定周波数のクロック信号を生成し、デバイス内の各ロジック回路を動作させる内部クロック回路１と、内部クロック回路１にて生成されたクロック信号を電圧変動から電流変動へ変換する電圧−電流変換器（以下、Ｖ−Ｉ変換器と表記）２と、不揮発性メモリであるＥＰＲＯＭ４Ａと、ＥＰＲＯＭ４Ａにトリミングデータを書き込むＥＰＲＯＭ書込み回路４と、ＥＰＲＯＭ書込み回路４にてＥＰＲＯＭ４Ａにデータを書き込むために必要な電圧を供給する電圧供給回路３と、トリミングデータ入出力及びトリミングデータ読出し命令入力用のトリミングデータ転送／読出し回路５と、トリミング補正後の信号をトリミング装置２０へ出力する補正後出力回路６と、外部からの伝送線に対してトリミングデータ転送／読出し回路５と補正後出力回路６とを切り替え接続する切替器７とを有している。
【００１５】
他方、トリミング装置２０は、被トリミングデバイス１０側へ電源電圧を供給する電源電圧供給回路２１と、被トリミングデバイス１０側からトリミング装置２０へ入力される電流変動を読み取り、電圧変動に変換する電流−電圧変換器（以下、Ｉ−Ｖ変換器と表記）２２と、Ｉ−Ｖ変換器２２からの出力をクロック信号に整形する波形整形回路２３と、トリミングデータ発生／確認回路２４と、トリミング出力確認回路２５と、外部からの伝送線に対してトリミングデータ発生／確認回路２４とトリミング出力確認回路２５とを切り替え接続する切替器２６とを有している。
【００１６】
この実施の形態１では、被トリミングデバイス１０が、接続端子として、Ｖ−Ｉ変換器２に接続する電源入力端子８と、切替器７に接続するトリミングデータ入力／トリミング出力端子９と、被トリミングデバイスＧＮＤ端子１１とを有している。他方、トリミング装置２０が、Ｉ−Ｖ変換器２２を介して電源電圧供給回路２１に接続する電源出力端子２７と、切替器２６に接続するトリミングデータ出力／トリミング入力端子２８と、トリミング装置ＧＮＤ端子２９と、トリミング装置２０への電源電圧供給用の電源入力端子３１とを有している。
【００１７】
被トリミングデバイス１０とトリミング装置２０との間では、電源入力端子８と電源出力端子２７とが接続され、また、トリミングデータ入力／トリミング出力端子９とトリミングデータ出力／トリミング入力端子２８とが互いに接続されている。すなわち、この態様では、互いに接続される端子が２対存在する。
【００１８】
以上の構成を備えたデジタルトリミングシステム３０の動作について説明する。被トリミングデバイス１０側で、内部クロック回路１から出力された電圧変動が、Ｖ−Ｉ変換器２により電流変動に変換され、その後、被トリミングデバイス１０へ電源入力端子８及び電源出力端子２７を介して伝送される。伝送されてきた電流変動はＩ−Ｖ変換器２２により電圧変動に変換される。この電圧変動は、更に、波形整形回路２３によりクロック波形に整形されて、デジタルトリミングシステム３０の基準クロック信号となる。
【００１９】
本システム３０における全てのデジタルデータは、この基準クロック信号と同期をとりつつ伝送される。デジタルトリミング作業では、トリミングデータ入力／トリミング出力端子９に対して、切替器７によりトリミングデータ転送／読出し回路５が接続されるとともに、トリミングデータ入出力／トリミング入力端子２８に対して、切替器２６によりトリミングデータ発生／確認回路２４が接続されることで、トリミングデータがトリミングデータ転送／読出し回路５に入力されることになる。
【００２０】
その後、トリミングデータ入力／トリミング出力端子９に対して、切替器７により補正後出力回路６が接続されるとともに、トリミングデータ入出力／トリミング入力端子２８に対して、切替器２６によりトリミング出力確認回路２５が接続され、補正後出力の確認が行なわれる。以上の作業が繰り返されることにより、適正なアナログ出力となるようにトリミングデータが決定される。
【００２１】
続いて、トリミングデータ入力／トリミング出力端子９に対して、切替器７によりトリミングデータ転送／読出し回路５が再度接続されるとともに、トリミングデータ出力／トリミング入力端子２８に対して、切替器２６によりトリミングデータ発生／確認回路２４が再度接続され、ＥＰＲＯＭ書込み命令がトリミングデータ転送／読出し回路５に与えられると、被トリミングデバイス１０側の電圧供給回路３によりＥＰＲＯＭ書込み回路４にＥＰＲＯＭ書込みに必要な電圧が与えられ、先に決定されたトリミングデータがＥＰＲＯＭ４Ａに書き込まれる。以上で、デジタルトリミング作業が完了する。
【００２２】
ＥＰＲＯＭ４Ａに書き込まれたデータが先に決定されたトリミングデータであるか否かの確認は、ＥＰＲＯＭ読出し命令がトリミングデータ転送／読出し回路５に与えられ、ＥＰＲＯＭ４Ａに書き込まれたデータがトリミングデータ入力／トリミング出力端子９を経由してトリミング装置２０へ出力され、トリミングデータ発生／確認回路２４に入力されることで行なわれる。
【００２３】
この実施の形態１では、前述したように、被トリミングデバイス１０側で、内部クロック回路１にて生成されたクロック信号を一旦電流変動に変換することで、電源入力端子８及び電源出力端子２７を経由して、そのクロック信号をトリミング装置２０側へ伝送することを可能とする回路構成が採用されるので、電源入力端子８及び電源出力端子２７に対して、基準クロック信号入力及び出力の機能をもたせることができ、基準クロック信号入力及び出力専用の接続端子の必要がない。
【００２４】
また、被トリミングデバイス１０側で、トリミングデータ転送／読出し回路５と補正後出力回路６とを１つのトリミングデータ入力／トリミング出力端子９に対して切替器７で切り替え接続し、他方、トリミング装置２０側で、トリミングデータ発生／確認回路２４とトリミング出力確認回路２５とを１つのトリミングデータ出力／トリミング入力端子２８に対して切替器２６で切り替え接続する回路構成が採用されるので、トリミングデータ入出力及びトリミング入出力を、一対の外部接続端子を介して行なうことが可能であり、被トリミングデバイス１０及びトリミング装置２０の両方で、デジタルデータ伝送専用の端子の必要がない。
【００２５】
更に、被トリミングデバイス１０側でＥＰＲＯＭ書込み回路４へその動作に必要な電圧を供給する電圧供給回路３が設けられるため、被トリミングデバイス１０及びトリミング装置２０の両方で、ＥＰＲＯＭ書込み専用の電源端子の必要がない。
【００２６】
以上のように、この実施の形態１の回路構成によれば、被トリミングデバイス１０及びトリミング装置２０の各々に設けられる外部接続端子の数が削減可能であり、これにより、製品外形の小型化を図ることができる。
【００２７】
以下、本発明の他の実施の形態について説明する。なお、以下では、上記実施の形態１と同じものについては同一の符号を付し、それ以上の説明を省略する。
実施の形態２．
図２は、本発明の実施の形態２に係るデジタルトリミングシステムの構成を示すブロック図である。このデジタルトリミングシステム６０では、電源入力端子８及び電源出力端子２７に対して、基準クロック信号の入力及び出力の機能をもたせるために、上記実施の形態１と同じ回路構成が採用される一方、トリミングデータの入出力及びトリミング入出力用の接続端子を共通にするために、前述した実施の形態１とは別の回路構成が採用されている。
【００２８】
具体的に、このデジタルトリミングシステム６０では、被トリミングデバイス４０側で、補正後出力回路６が、トリミングデータ入力／トリミング出力端子９に対して単独で接続されている。この補正後出力回路６とトリミングデータ転送／読出し回路５との間には、Ｖ−Ｉ変換器４１と、互いに直列に接続された波形整形回路４２及びＩ−Ｖ変換器４３からなる組とが並列に構成された回路が設けられている。また、補正後出力回路６とトリミングデータ転送／読出し回路５との間には、並列に構成された回路とは別に、トリミングデータ読出し時出力固定回路４５が設けられている。このトリミングデータ読出し時出力固定回路４５は、補正後出力回路６の出力値を固定する回路である。
【００２９】
他方、トリミング装置５０側では、トリミングデータ発生／確認回路２４と切替器２６との間に、Ｖ−Ｉ変換器５１と、互いに直列に接続されたＩ−Ｖ変換器５２及び波形整形回路５３からなる組とが並列に構成された回路が設けられている。
【００３０】
このような回路構成では、被トリミングデバイス４０側で、トリミングデータが読み出される場合に、トリミングデータ転送／読出し回路５から出力されたデジタルデータが、Ｖ−Ｉ変換器４１により電圧変動から電流変動に変換され、その後、補正後出力回路６へ入力される。そして、トリミングデータの読出しに際しては、トリミングデータ読出し出力時出力固定回路４５により補正後出力回路６の出力値が固定されることになる。
【００３１】
これにより、切替器を要することなく、トリミングデータ入力／トリミング出力端子９に対する出力を、トリミングデータ転送／読出し回路と補正後出力回路との間で切り替えることができる。すなわち、トリミングデータ入出力及びトリミング入出力を、一対の外部接続端子を介して行なうことが可能であり、デジタルデータ伝送専用の端子の必要がない。
【００３２】
また、この実施の形態２では、上記実施の形態１と同様に、被トリミングデバイス４０及びトリミング装置５０の両方で、基準クロック信号の入力及び出力専用の接続端子の必要がなく、更に、ＥＰＲＯＭ書込み専用の電源端子の必要がない。
【００３３】
以上のように、この実施の形態２の回路構成によれば、被トリミングデバイス４０及びトリミング装置５０の各々に設けられる外部接続端子の数が削減可能であり、これにより、製品外形の小型化を図ることができる。
【００３４】
実施の形態３．
図３は、本発明の実施の形態３に係るデジタルトリミングシステムの構成を示すブロック図である。このデジタルトリミングシステム８０では、実施の形態２と同様に、電源入力端子８及び電源出力端子２７に対して、基準クロック信号の入出力の機能をもたせるために、上記実施の形態１と同じ回路構成が採用される一方、トリミングデータの入出力及びトリミング入出力用の接続端子を共通にするために、実施の形態１とは別の回路構成が採用されている。
【００３５】
具体的に、このデジタルトリミングシステム８０では、被トリミングデバイス７０側で、トリミングデータ転送／読出し回路５及び補正後出力回路６に対する入出力を切り替える切替器７に加えて、切替え器７に選択された入出力及びＥＰＲＯＭ書込み回路４に対する入出力を、トリミングデータ入力／トリミング出力端子９に対して切り替える切替器７２が設けられている。
【００３６】
更に、被トリミングデバイス７０側では、トリミングデータ入力／トリミング出力端子９に対して、外部から印加される電圧をモニタする出力端子電圧モニタ７１が接続されている。切替器７２は、この出力端子電圧モニタ７１によりモニタされた電圧に基づいて動作制御される。ここでは、トリミングデータ入力／トリミング出力端子９に対して外部から印加される電圧がＥＰＲＯＭ４Ａの書込みに必要な電圧となった場合に、ＥＰＲＯＭ書込み回路４に対して電圧が印加されるように、切替器７２が切り替えられる。
【００３７】
かかる回路構成を備えた実施の形態３では、トリミングデータ入出力及びトリミング入出力を、一対の接続端子を介して行なうことができ、デジタルデータ伝送専用の接続端子の必要がなく、また、被トリミングデバイス７０側で、ＥＰＲＯＭ書込み回路４の動作に必要な電圧が、同じくトリミングデータ入出力及びトリミング入出力に用いる端子から取得されるため、被トリミングデバイス７０及びトリミング装置２０の両方で、ＥＰＲＯＭ書込み専用の電源端子の必要がない。
【００３８】
また、この実施の形態３では、上記実施の形態１と同様に、基準クロック信号の入力及び出力専用の接続端子の必要がない。
【００３９】
以上のように、この実施の形態３の回路構成によれば、被トリミングデバイス７０及びトリミング装置２０の各々に設けられる外部接続端子の数が削減可能であり、これにより、製品外形の小型化を図ることができる。
【００４０】
実施の形態４．
図４は、本発明の実施の形態４に係るデジタルトリミングシステムの構成を示すブロック図である。このデジタルトリミングシステム１１０では、トリミングデータの入出力及びトリミング入出力用の接続端子を共通にするために、上記実施の形態１と同じ回路構成が採用される一方、電源入力端子８及び電源出力端子２７に対して、基準クロック信号の入出力の機能をもたせるために、上記実施の形態１とは異なる回路構成が採用されている。
【００４１】
具体的には、このデジタルトリミングシステム１１０では、被トリミングデバイス９０側で、上記実施の形態１における内部クロック回路１及びＶ−Ｉ変換器２の代わりに、波形整形回路９１及びＩ−Ｖ変換器９２が用いられ、また、トリミング装置１００側で、上記実施の形態１におけるＩ−Ｖ変換器２２及び波形整形回路２３の代わりに、基準クロック回路１０１及びＶ−Ｉ変換器１０２が用いられる。
【００４２】
かかる回路構成を備えた実施の形態４では、被トリミングデバイス９０側で、基準クロック回路１０１から生成された基準クロック信号が、Ｖ−Ｉ変換器１０２において、電圧変動から電流変動に変換される。変換後の信号は、被トリミングデバイス９０へ伝送され、Ｉ‐Ｖ変換器９２で電圧変動に変換される。この電圧変動は、更に、波形整形回路９１によりクロック波形に整形されて、デジタルトリミングシステム１１０の基準クロック信号となる。すなわち、電源入力端子８及び電源出力端子２７に対して、基準クロック信号の入力及び出力の機能をもたせることができ、基準クロック信号の入力及び出力専用の接続の必要がない。
【００４３】
また、この実施の形態４では、上記実施の形態１と同様に、被トリミングデバイス４０及びトリミング装置５０の両方で、デジタルデータ伝送専用の接続端子の必要がなく、更に、ＥＰＲＯＭ書込み専用の電源端子の必要がない。
【００４４】
以上のように、この実施の形態４の回路構成によれば、被トリミングデバイス９０及びトリミング装置１００の各々に設けられる外部接続端子の数が削減可能であり、これにより、製品外形の小型化を図ることができる。
【００４５】
実施の形態５．
図５は、本発明の実施の形態５に係るデジタルトリミングシステムの構成を示すブロック図である。このデジタルトリミングシステム１３０は、上記実施の形態１とほぼ同じ構成を有しており、この実施の形態５では、被トリミングデバイス１２０側の電源入力端子８に対し、該電源入力端子８に外部から印加される電圧をモニタする電圧モニタ回路１２１が接続されている。
【００４６】
電圧モニタ回路１２１は、モニタした電圧に基づき、切替器７を動作制御する。ここでは、モニタした電圧が所定の閾値以上である場合に、トリミングデータ入力／トリミング出力端子９に対して、トリミングデータ転送／読出し回路５が接続されるように、切替器７を切り替えるようになっている。
【００４７】
すなわち、この実施の形態５では、電源入力端子８に印加される電圧の変化を利用することで、切替器７を動作させることができ、接続端子等の複雑な構成を要することなく、最小限の構成を用い、トリミングデータ転送／読出し回路５と補正後出力回路６との間で、トリミングデータ入力／トリミング出力端子９に対する接続を切り替えることができる。
【００４８】
なお、本発明は、例示された実施の形態に限定されるものでなく、本発明の要旨を逸脱しない範囲において、種々の改良及び設計上の変更が可能であることは言うまでもない。
【００４９】
【発明の効果】
本願の請求項１の発明によれば、被トリミングデバイス側の電源入力端子及びトリミング装置側の電源出力端子に対して、基準クロック信号入力及び出力の機能をもたせることができ、基準クロック信号入力及び出力専用の接続端子の必要をなくすることができる。その結果、接続端子の数が削減可能であり、製品外形の小型化を図ることができる。
【００５０】
また、本願の請求項２の発明によれば、被トリミングデバイス側の電源入力端子及びトリミング装置側の電源出力端子に対して、基準クロック信号入力及び出力の機能をもたせることができ、基準クロック信号入力及び出力専用の接続端子の必要をなくすることができる。その結果、製品外形の小型化を図ることができる。
【００５１】
更に、本願の請求項３の発明によれば、トリミングデータ入出力及びトリミング入出力を、一対の外部接続端子を介して行なうことが可能であり、被トリミングデバイス及びトリミング装置の両方で、デジタルデータ伝送専用の端子の必要をなくすることができる。その結果、製品外形の小型化を図ることができる。
【００５２】
また、更に、本願の請求項４の発明によれば、被トリミングデバイス側の電源入力端子に印加される電圧の変化を利用することで、切替手段を動作させることができ、接続端子等の複雑な構成を要することなく、最小限の構成を用い、トリミングデータ転送／読出し手段と補正後出力手段との間で、トリミングデータ入力／トリミング出力端子に対する接続を切り替えることができる。
【００５３】
また、更に、本願の請求項５の発明によれば、トリミングデータ入出力及びトリミング入出力を、一対の接続端子を介して行なうことができ、デジタルデータ伝送専用の接続端子の必要をなくすることができ、また、被トリミングデバイスで、メモリ書込み手段の動作に必要な電圧が、同じくトリミングデータ入出力及びトリミング入出力に用いる端子から取得されるため、被トリミングデバイス及びトリミング装置の両方で、ＥＰＲＯＭ書込み専用の電源端子の必要をなくすることができる。その結果、製品外形の小型化を図ることができる。
【００５４】
また、更に、本願の請求項６の発明によれば、トリミングデータ入出力及びトリミング入出力を、一対の外部接続端子を介して行なうことが可能であり、デジタルデータ伝送専用の端子の必要をなくすることができる。その結果、製品外形の小型化を図ることができる。
【００５５】
また、更に、本願の請求項７の発明によれば、被トリミングデバイス側でメモリ書込み手段へその動作に必要な電圧を供給する電圧供給手段が設けられるため、被トリミングデバイス及びトリミング装置の両方で、メモリ書込み専用の電源端子の必要をなくすることができ、その結果、製品外形の小型化を図ることができる。
【図面の簡単な説明】
【図１】本発明の実施の形態１に係るデジタルトリミングシステムの構成を概略的に示すブロック図である。
【図２】本発明の実施の形態２に係るデジタルトリミングシステムの構成を概略的に示すブロック図である。
【図３】本発明の実施の形態３に係るデジタルトリミングシステムの構成を概略的に示すブロック図である。
【図４】本発明の実施の形態４に係るデジタルトリミングシステムの構成を概略的に示すブロック図である。
【図５】本発明の実施の形態５に係るデジタルトリミングシステムの構成を概略的に示すブロック図である。
【符号の説明】
１  内部クロック回路，２  Ｖ−Ｉ変換器，３  電圧供給回路，４  ＥＰＲＯＭ書込み回路，４Ａ  ＥＰＲＯＭ，５  トリミングデータ転送／読出し回路，６補正後出力回路，７  切替器，８  電源入力端子，９  トリミングデータ入力／トリミング出力端子，１０  被トリミングデバイス，１１  ＧＮＤ端子，２０トリミング装置，２１  電源電圧供給回路，２２  Ｉ−Ｖ変換器，２３  波形整形回路，２４  トリミングデータ発生／確認回路，２５  トリミング出力確認回路，２６  切替器，２７  電源出力端子，２８  トリミングデータ出力／トリミング入力端子，２９  ＧＮＤ端子，３０  デジタルトリミングシステム，３１電源入力端子，４５  トリミングデータ読出し時出力固定回路，７１  出力端子電圧モニタ，７２  切替器，１２１  電圧モニタ回路。
【図１】
2004165275.tif 000003
【図２】
2004165275.tif 000004
【図３】
2004165275.tif 000005
【図４】
2004165275.tif 000006
【図５】
2004165275.tif 000007